(57)【特許請求の範囲】
【請求項１】
光学特性が変化する光学モジュールと、
ユーザからの指示を受け付ける入力部と、
前記光学モジュールの使用環境を検出するための感知部と、
前記光学モジュールの光学特性を変化させる条件を少なくとも記憶する記憶部と、
設定モードに応じて、電気制御により前記光学モジュールの光学特性を変化させる制御部と、
を有し、
前記設定モードは、少なくとも、前記記憶部に記憶された条件および前記感知部の検出値に基づいて、前記制御部が前記光学モジュールに対する電気制御を行う第１のモードと、
前記入力部が受け付けた指示に基づいて、前記制御部が前記光学モジュールに対する電気制御を行う第２のモードと、を含み、
前記第２のモードにおいて前記入力部が指示を受け付けたときの前記感知部の検出値に基づき、前記記憶部に記憶された条件が更新される、
アイウェア。
【請求項２】
前記第１のモードにおいて、前記制御部は、前記第２のモードにおいて前記入力部が指示を受け付けたときの前記感知部の検出値に基づき更新された条件に基づいて、前記光学モジュールに対する電気制御を行う、請求項１に記載のアイウェア。
【請求項３】
前記感知部は、傾斜センサおよび照度センサのいずれか一方を少なくとも含む、
請求項１または２に記載のアイウェア。
【請求項４】
前記感知部は、メカニカルスイッチ、位置検出センサ、加速度センサ、角速度センサ、ジャイロセンサ、近接センサ、接触センサ、通信素子、撮像素子、またはこれらの組み合わせをさらに含む、
請求項３に記載のアイウェア。
【請求項５】
前記制御部が、前記光学モジュールの屈折率、および／または光学モジュールの可視光の透過率を変化させる、
請求項１〜４のいずれか一項に記載のアイウェア。
【請求項６】
前記第２のモードにおいて前記入力部が指示を受け付けたときの前記感知部の検出値に基づき、前記記憶部に記憶された条件が、常に更新される、
請求項１〜５のいずれか一項に記載のアイウェア。
【請求項７】
前記第２のモードにおいて前記入力部が指示を受け付けたときの前記感知部の検出値と前記記憶部に記憶された条件とを比較した結果に応じて、前記記憶部に記憶された条件が、前記検出値に基づき更新される、
請求項１〜５のいずれか一項に記載のアイウェア。
【請求項８】
前記第２のモードにおいて前記入力部が指示を受け付けたときの前記感知部の検出値が、前記記憶部に記憶された条件から所定値以上ずれていた場合に、前記記憶部に記憶された条件が、前記検出値に基づき更新される、
請求項７に記載のアイウェア。
【請求項９】
前記第２のモードにおいて前記入力部が指示を受け付けたときの前記感知部の検出値取得回数に応じて、前記記憶部に記憶された条件が、前記検出値に基づき、更新される、
請求項１〜５のいずれか一項に記載のアイウェア。
【請求項１０】
前記第２のモードにおいて前記入力部が指示を受け付けたときの前記感知部の検出値が、所定の回数同一の範囲に含まれる場合に、前記記憶部に記憶された条件が、前記検出値に基づき、更新される、
請求項９に記載のアイウェア。
【発明の詳細な説明】
【技術分野】
【０００１】
本発明は、アイウェアに関する。
【背景技術】
【０００２】
近年、ユーザが装着可能な電子機器（ウェアラブルデバイス）の開発が行われている。これらウェアラブルデバイスは身に着けるという性質上、小型のデバイスであることが多い。また、ユーザが身に着けた状態では、操作を行い難いことも多く、ユーザによるウェアラブルデバイスに対する操作入力はある程度制限されたものとなっている。【０００３】
一方で、ウェアラブルデバイスを、ユーザの使用状態等に合わせて機能させることが提案されている。例えば、特許文献１には、眼鏡本体の傾斜角度によって液晶レンズへの電気信号を制御して、焦点距離を自動的に可変にするアイウェア（眼鏡）が記載されている。また、特許文献２には、レンジファインダー等の検出結果に基づき、屈折率を調整する機能が搭載されているアイウェアが開示されている。
【先行技術文献】
【特許文献】
【０００４】
【特許文献１】特開昭６２−００９３１５号公報
【特許文献２】米国特許第６５１７２０３号明細書
【発明の概要】
【発明が解決しようとする課題】
【０００５】
上記特許文献１および特許文献２に記載のアイウェアでは、予め設定された情報に基づいて、その焦点距離や、屈折率等が制御されるのみであり、ユーザ固有の情報や、ユーザの嗜好に合わせて、機能を発現する条件を変えられるものではなかった。【０００６】
本発明は、ユーザ固有の情報やユーザの嗜好に合わせて機能を発現させる条件を変更することが可能であり、かつ、所定の機能を自動で実行可能なアイウェアを提供することを目的とする。
【課題を解決するための手段】
【０００７】
本発明の一態様は、光学特性が変化する光学モジュールと、ユーザからの指示を受け付ける入力部と、光学モジュールの使用環境を検出するための感知部と、光学モジュールの光学特性を変化させる条件を少なくとも記憶する記憶部と、設定モードに応じて、電気制御により光学モジュールの光学特性を変化させる制御部と、を有し、設定モードは、少なくとも、記憶部に記憶された条件および感知部の検出値に基づいて、制御部が光学モジュールに対する電気制御を行う第１のモードと、入力部が受け付けた指示に基づいて、制御部が光学モジュールに対する電気制御を行う第２のモードと、を含み、第２のモードにおいて入力部が指示を受け付けたときの感知部の検出値に基づき、記憶部に記憶された条件が更新される、アイウェアに関する。
【発明の効果】
【０００８】
本発明によれば、ユーザ固有の情報やユーザの嗜好に合わせて機能を発現させる条件を変更することが可能であり、かつ、所定の機能を自動で実行可能なアイウェアが提供される。
【図面の簡単な説明】
【０００９】
【図１】図１は、本発明の第１の実施形態に係るアイウェアを示す斜視図である。
【図２】図２は、本発明の第１の実施形態に係るアイウェアを示す別の斜視図である。
【図３】図３は、本発明の第１の実施形態に係るアイウェアの機能構成を表すブロック図である。
【図４】図４は、本発明の第１の実施形態に係るアイウェアが有する電気制御型レンズのＡ−Ａ部分の模式断面図である。
【図５】図５は、本発明の第１の実施形態に係るアイウェアの制御のためのモードの階層を示す模式図である。
【図６】図６は、本発明の第１の実施形態に係るアイウェアのモードが選択される際のフローチャートである。
【図７】図７は、本発明の第１の実施形態に係るアイウェアの動作例を示すフローチャートである。
【図８】図８は、調光補正モードおよび視力調光補正モードにおいて、アイウェアが感知する光の照度と電気制御型レンズの可視光の透過率との関係（初期設定値）を示すグラフである。
【図９】図９は、本発明の第２の実施形態に係るアイウェアの制御のためのモードの階層を示す模式図である。
【図１０】図１０は、本発明の第２の実施形態に係るアイウェアの動作例を示すフローチャートである。
【図１１】図１１は、図１０に示すフローチャートの一部である。
【図１２】図１２は、本発明の別の実施形態におけるアイウェアの例示的な機能構成を表すブロック図である。
【発明を実施するための形態】
【００１０】
以下、複数の実施形態を用いて、本発明のアイウェアを説明する。
【００１１】
［第１の実施形態］
（アイウェアの構造）
図１および図２は、本発明の第１の実施形態に係るアイウェア１００を示す斜視図である。
【００１２】
アイウェアには、例えば、視力補正レンズのようにユーザの視力向上のための補助機構を有するいわゆる眼鏡（電子メガネ、サングラスを含む）やゴーグル、ユーザの視界あるいは眼に対して情報提示を行う機構を有する種々のデバイス（例えば、眼鏡型ウェアラブル端末、ヘッドマウントディスプレイ等）が含まれる。以下の本実施形態では、一対のレンズを有する両目用の電子眼鏡を例に説明するが、本発明に係るアイウェアは、この態様に限定されない。アイウェアは、装着されることにより、眼に対して視力または視界向上のための補助機構や情報提示のための機構を保持する構成であればよく、両方の耳に装着される眼鏡型に限らず、頭部や片方の耳のみに装着される装置であってもよい。また、両眼用ではなく、片眼のみに作用するアイウェアであってもよい。
【００１３】
図１および図２に示すように、アイウェア１００は、フロント１１０および一対のテンプル１２０ａおよび１２０ｂを有するフレーム１３０、入力部１４０、電気制御により光学特性が変化する光学モジュールである一対の電気制御型レンズ１５０、感知部１７０、制御部１６０としても機能するＣＰＵ（Central  Processing  Unit）およびＲＡＭ（Random  Access  Memory）、ならびに記憶部１９４としても機能するＲＯＭ（Read  Only  Memory）などが含まれるＣＰＵユニット１６５などの演算装置、ならびに電源１８０を有する。ＣＰＵは、アイウェア１００の機能を実行するためのプログラムをＲＯＭから読み出してＲＡＭに展開し、展開したプログラムを実行してアイウェア１００の各機能部の動作を制御する。なお、以下の記載では、一対の電気制御型レンズ１５０が配置されている部分をアイウェア１００の正面（前方）とする。
【００１４】
また、アイウェア１００の機能構成を表すブロック図である図３に示すように、アイウェア１００が備える各機能部は、バスＢにより接続される。
以下、本実施形態のアイウェア１００の各構成について説明する。
【００１５】
フロント１１０は、一対の電気制御型レンズ１５０を保持する。フロント１１０は、上記一対の電気制御型レンズ１５０をそれぞれ支持する一対のリム１１２と、上記一対のリム１１２を接続するブリッジ１１４と、を有する。リム１１２は、電気制御型レンズ１５０の形状に対応する形状を有する。特に図示しないが、フロント１１０の内部には、電気制御型レンズ１５０とＣＰＵユニット１６５（制御部１６０）とを電気的に接続するための配線が配置されている。
【００１６】
フロント１１０の材料は、特に限定されず、メガネのフロントの材料として使用されている公知の材料とすることができる。フロント１１０の材料の例には、ポリアミド、アセテート、カーボン、セルロイド、ポリエーテルイミドおよびポリウレタンが含まれる。
【００１７】
一対のテンプル１２０ａおよび１２０ｂは、左右対称となるようにフロント１１０に接続された棒状の部材であり、その前端部においてフロント１１０に接続される。一対のテンプル１２０ａおよび１２０ｂの一方（図１および図２では右側のテンプル１２０ａ）には、入力部１４０、ＣＰＵユニット１６５（制御部１６０および記憶部１９４）、感知部１７０、および電源１８０が配置される。
【００１８】
テンプル１２０ａおよび１２０ｂの材料は、特に限定されず、メガネのテンプルの材料として使用されている公知の材料とすることができる。テンプル１２０ａおよび１２０ｂの材料の例には、ポリアミド、アセテート、カーボン、セルロイド、ポリエーテルイミドおよびポリウレタンが含まれる。
【００１９】
入力部１４０は、ユーザからの入力動作を受け付ける。入力部１４０の構造は特に制限されない。入力部１４０は、例えば、テンプル１２０ａの外側かつ前方の領域に、前方から後方に向けて列状に配置された複数の静電容量型のタッチセンサとすることができる。この場合、ユーザが複数のタッチセンサに沿って前方から後方、もしくは後方から前方へ指などを移動させる（スワイプする）動作や、指などを移動させずに触れる（タップする）動作、所定時間指などで触れる（長押しする）動作等によって、入力部１４０は、ユーザからの指示を受け付けることができる。
【００２０】
また、入力部１４０は、上記スワイプ動作によって静電容量が変化したタッチセンサの数から、入力動作の動作量（移動量）を識別して受け付け可能であってもよい。
【００２１】
一対の電気制御型レンズ１５０は、フレームのフロント１１０に保持されている。電気制御型レンズ１５０は、電圧の印加により光学特性が変化する電気活性部を有する。それぞれの電気制御型レンズは、球面レンズであってもよく、非球面レンズであってもよい。それぞれの電気制御型レンズは、電圧の印加によりその焦点距離（度数）を変更可能な第１の領域１５０ａと、当該第１の領域外の第２の領域１５０ｂとを有する。
【００２２】
電気制御型レンズ１５０のＡ−Ａ部分の模式断面図を図４に示す。図４に示すように、第１の領域１５０ａには、後方（使用者側）から、第１の透明基板１５１０、第１の透明電極１５２０、電気活性部としての屈折率可変層１５３０、第２の透明電極１５４０、第２の透明基板１５５０、第３の透明電極１５６０、電気活性部としての透過率可変層１５７０、第４の透明電極１５８０、および第３の透明基板１５９０が、この順に積層されている。
【００２３】
なお、特に図示しないが、第１の透明基板１５１０および第１の透明電極１５２０、または第２の透明基板１５５０および第２の透明電極１５４０は、第１の領域１５０ａにおいてフレネルレンズ形状を有していてもよい。
【００２４】
一方、第２の領域１５０ｂには、図４に示すように、後方（使用者側）から、第１の透明基板１５１０、第１の透明電極１５２０、接着層１５３５、第２の透明電極１５４０、第２の透明基板１５５０、第３の透明電極１５６０、電気活性部としての透過率可変層１５７０、第４の透明電極１５８０、および第３の透明基板１５９０がこの順に積層されている。
【００２５】
なお、第２の透明電極１５４０と第３の透明電極１５６０とは、共通電極であってもよい。このとき、第２の透明基板１５５０は、その配置を省略することができる。
【００２６】
第１の透明基板１５１０、第２の透明基板１５５０、および第３の透明基板１５９０は、アイウェア１００の前方側に向かって凸状となるように湾曲した透明部材である。
【００２７】
第１の透明基板１５１０、第２の透明基板１５５０、および第３の透明基板１５９０の材料は、可視光に対する透光性を有していれば特に限定されず、レンズの材料として使用されうる公知の材料とすることができる。第１の透明基板１５１０、第２の透明基板１５５０、および第３の透明基板１５９０の材料の例には、ガラスおよび樹脂が含まれる。上記樹脂の例には、ポリメチルメタクリレート、ポリカーボネート、ポリジエチレングリコールビスアリルカーボネートおよびポリスチレンが含まれる。第１の透明基板１５１０、第２の透明基板１５５０、および第３の透明基板１５９０の材料は、同一であってもよいし、異なっていてもよい。
【００２８】
第１の透明電極１５２０および第２の透明電極１５４０、ならびに第３の透明電極１５６０および第４の透明電極１５８０は、それぞれ透光性を有する透明電極である。第１の透明電極１５２０および第２の透明電極１５４０は、少なくとも屈折率可変層１５３０に電圧を印加しうる範囲（第１の領域１５０ａ）に配置される。一方、第３の透明電極１５６０および第４の透明電極１５８０は、少なくとも透過率可変層１５７０に電圧を印加しうる範囲（第１の領域１５０ａおよび第２の領域１５０ｂ）に配置される。
【００２９】
第１の透明電極１５２０、第２の透明電極１５４０、第３の透明電極１５６０、および第４の透明電極１５８０の材料は、可視光に対する透光性と導電性とを有するものであれば特に限定されない。これらの材料の例には、酸化インジウムスズ（ＩＴＯ）および酸化亜鉛（ＺｎＯ）が含まれる。第１の透明電極１５２０、第２の透明電極１５４０、第３の透明電極１５６０、および第４の透明電極１５８０の材料は、同一であってもよく、異なっていてもよい。
【００３０】
屈折率可変層１５３０は、電圧の印加により可視光の屈折率が変化する層である。屈折率可変層１５３０の材料の例には、コレステリック液晶およびネマティック液晶などが含まれる。第１の透明電極１５２０および第２の透明電極１５４０によって屈折率可変層１５３０に電圧が印加されると、液晶分子の配向が変化することなどにより、屈折率可変層１５３０の屈折率が可逆的に変化する。そのため、屈折率可変層１５３０に電圧を印加すると、第１の領域１５０ａの焦点距離（度数）が変化する。
【００３１】
透過率可変層１５７０は、電圧の印加によって可視光の透過率（以下、単に「透過率」とも称する）が変化する層である。透過率可変層１５７０の材料の例には、エレクトロクロミック素子およびゲスト−ホスト液晶などが含まれる。第３の透明電極１５６０および第４の透明電極１５８０によって透過率可変層１５７０に電圧が印加されると、供給された電子による酸化還元反応や、液晶分子の配向の変化などにより、透過率可変層１５７０の透過率が可逆的に変化する。そのため、透過率可変層１５７０に電圧を印加すると、第１の領域１５０ａおよび第２の領域１５０ｂの可視光の透過率が変化する。
【００３２】
接着層１５３５は、第２の領域１５０ｂにおいて、第１の透明基板１５１０と第２の透明基板１５５０との間に配置されて、第１の透明基板１５１０と第２の透明基板１５５０とを接着する。ただし第１の透明電極１５２０および第２の透明電極１５４０が、第２の領域１５０ｂにも配置される場合には、接着層１５３５は、第１の透明電極１５２０と第２の透明電極１５４０との間に配置される。また、接着層１５３５は、屈折率可変層１５３０を構成する材料を封止する機能も有する。接着層１５３５の材料は、可視光に対する透光性を有する、接着剤の硬化物であれば特に限定されない。
【００３３】
感知部１７０は、水平軸に対する鉛直下方へのアイウェア１００の傾斜角度（以下、単に「傾斜角度」ともいう。）を感知する傾斜センサ、およびアイウェア１００への光の照度を感知する照度センサを少なくとも含む。感知部１７０は、上記傾斜センサが感知した傾斜角度、および照度センサが感知した照度を、それぞれ制御部１６０に出力する。
【００３４】
記憶部１９４は、後述するアイウェアの制御におけるオートモードにおいて、電気制御型レンズ１５０の第１の領域１５０ａの屈折率、電気制御型レンズ１５０の第１の領域１５０ａおよび第２の領域１５０ｂの透過率、もしくはこれらの両方を変化させるための条件（閾値）を記憶する。
【００３５】
制御部１６０は、後述するように設定モードに応じて、入力部１４０が受け付けた入力動作や、記憶部１９４に記憶された条件、および感知部１７０の検出値に基づき、電気制御型レンズ１５０の光学特性を変化させる。
【００３６】
制御部１６０は、電気制御型レンズ１５０の第１の透明電極１５２０、第２の透明電極１５４０、第３の透明電極１５６０、および第４の透明電極１５８０、ならびに、入力部１４０、感知部１７０、および記憶部１９４に電気的に接続されている。後述する制御によって、第１の透明電極１５２０と第２の透明電極１５４０との間、および／または第３の透明電極１５６０と第４の透明電極１５８０との間に電圧を印加して、電気制御型レンズ１５０の光学特性（屈折率または透過率）をそれぞれ変化させる。つまり、本実施形態のアイウェア１００は、制御部１６０が、電気制御型レンズ１５０の屈折率を変化させて視力補正を行う機能（以下、単に「視力補正機能」とも称する）、電気制御型レンズ１５０の透過率を変化させて調光補正を行う機能（以下、単に「調光補正機能」とも称する）、および電気制御型レンズ１５０の屈折率および透過率を独立に変化させて、視力補正および調光補正を同時に行う機能（以下、単に「視力調光補正機能」とも称する）をそれぞれ実行する。
【００３７】
電源１８０は、テンプル１２０ａの後端部に着脱可能に保持される充電式のバッテリーパックであり、入力部１４０、制御部１６０および感知部１７０などの電力を消費する機能部に電力を供給する。電源１８０の例には、ニッケル水素充電池が含まれる。
【００３８】
（アイウェアの制御）
・モードについて
本実施形態のアイウェア１００には、上述の視力補正機能、調光補正機能、および視力調光補正機能を実施するための複数のモードが図５の模式図に示すように階層状に設定されている。当該アイウェア１００では、ユーザが入力部１４０を通じて、各階層のモードを選択することで、制御部１６０に所望の動作を実行させることができる。アイウェア１００の制御部１６０は、複数のモードのうち、設定されたモードに従って、第１の透明電極１５２０及び第２の透明電極１５４０の間に印加する電圧を制御することにより、電気活性部の光学特性を制御する。
【００３９】
本実施形態のアイウェア１００では、図５に示すように、複数のモードが３階層にわけて設定されている。本実施形態のアイウェア１００の第１階層には、視力補正機能を実行するための視力補正モード、調光補正機能を実行するための調光補正モード、ならびに視力調光補正機能を実行するための視力調光補正モード、が含まれる。
【００４０】
また、視力補正モード、調光補正モード、および視力調光補正モードの下層（第２階層）には、視力補正機能、調光補正機能、または視力調光補正機能を、ユーザが手動でオンまたはオフにするモード（以下、「マニュアルモード」とも称する）と、記憶部１９４に記憶された条件および感知部１７０で検出された検出値に基づき、制御部１６０が視力補正機能、調光補正機能、または視力調光補正機能をオンまたはオフにするモード（以下、「オートモード」とも称する）とがそれぞれ含まれる。
【００４１】
さらに、各マニュアルモードの下層（第３階層）には、上記オートモードにおいて、視力補正機能、調光補正機能、または視力調光補正機能をオンまたはオフにする条件を学習するための自動学習モードが含まれる。
【００４２】
ユーザは各階層のモードを、入力部１４０を通じて変更する。例えば、入力部１４０が前方から後方に向けて列状に配置された複数の静電容量型のタッチセンサである場合、複数のタッチセンサに沿って前方から後方へ指などを移動させる（スワイプする）第１の指示動作によって第１階層のモードを１段階遷移させることができる。同様に、上記第１の方向とは略反対方向である、上記複数のタッチセンサに沿って後方から前方へ指などを移動させる（スワイプする）第２の指示動作によって、第２階層のモードを１段階遷移させることができる。さらに、スワイプせずに上記複数のタッチセンサのいずれかをタップする第３の指示動作によって、第３階層のモードを１段階遷移させることができる。
【００４３】
図６は、本実施形態に係るアイウェア１００のユーザが、アイウェア１００の制御部１６０が実行するモードを選択し、制御部１６０に各種機能を実行させるときの、アイウェア１００の動作例を示すフローチャートである。図６に示す動作は、例えば、電源１８０の取り付けによって入力部１４０、制御部１６０および感知部１７０がオン状態になることにより開始される。
【００４４】
以下の説明において、図６に示すフローを開始するときに、制御部１６０は第１階層のモードとして視力補正モードを、第２階層のモードとしてマニュアルモードを、第３階層のモードとして自動学習モード（オン）を、それぞれ実行していると仮定する。
【００４５】
まず、入力部１４０は、ユーザの指の接触などによるタッチセンサの静電容量の変化を検出して、入力動作として受け付ける（ステップＳ１０）。上記入力動作を受け付けた旨の信号を入力部１４０から受信した制御部１６０は、当該指示動作が第１の指示動作（前方から後方へのスワイプ）か否かを判定する（ステップＳ１１）。
【００４６】
制御部１６０は、ステップＳ１１において上記指示動作が第１の指示動作であると判定すると、第１階層のモードを一段階遷移させる（ステップＳ１２）。本説明では、フロー開始時、制御部１６０が、第１階層のモードとして視力補正モードを実行している。そこで、上記指示動作が第１の指示動作であると判定したとき、制御部１６０は、第１階層のモードを調光補正モードに遷移して、調光補正モードを実行する。制御部１６０が上記第１階層のモードを遷移して実行することで、処理はステップＳ４０に遷移する。
【００４７】
一方で、制御部１６０は、ステップＳ１１において上記指示動作が第１の指示動作ではないと判定すると、次に、上記指示動作が第２の指示動作（後方から前方へのスワイプ）であるか否かを判定する（ステップＳ２１）。
【００４８】
制御部１６０は、ステップＳ２１において上記指示動作が第２の指示動作であると判定すると、現在実行している第１階層のモードに対応する第２階層のモードが存在するか否かを判定する（ステップＳ２２）。
【００４９】
制御部１６０は、ステップＳ２２において現在実行している第１階層のモードに対応する第２階層のモードが存在すると判定すると、現在実行している第１階層のモードを実行したまま、第２階層のモードを遷移して、遷移された第２階層のモードを実行する（ステップＳ２３）。本説明では、フロー開始時に、制御部１６０は、第１階層のモードとして視力補正モードを、第２階層のモードとしてマニュアルモードを、それぞれ実行している。そのため、制御部１６０は、ステップＳ２３において、第１階層のモードである視力補正モードを実行したまま、第２階層のモードをオートモードに遷移して実行する。制御部１６０が第２階層のモードを遷移して実行すると、処理はステップＳ４０に遷移する。
【００５０】
一方で、ステップＳ２２において対応する第２階層のモードは存在しないと制御部１６０が判定すると、処理はステップＳ４０に遷移する。
【００５１】
また、ステップＳ２１において上記指示動作は第２の指示動作ではないと制御部１６０が判定すると、制御部１６０は、上記指示動作が第３の指示動作（移動を伴わないタップ）であるか否かを判定する（ステップＳ３１）。
【００５２】
制御部１６０は、ステップＳ３１において上記指示動作が第３の指示動作であると判定すると、現在実行している第２階層のモードに対応する第３階層のモードが存在するか否かを判定する（ステップＳ３２）。
【００５３】
制御部１６０は、ステップＳ３２において現在実行している第２階層のモードに対応する第３階層のモードが存在すると判定すると、現在実行している第１階層のモードおよび第２階層のモードを実行したまま、第３階層のモードを一段階遷移して、遷移された第３階層のモードを実行する（ステップＳ３３）。本説明では、フロー開始時に、制御部１６０は、第１階層のモードとして視力補正モードを、第２階層のモードとしてマニュアルモードを、第３階層のモードとして自動学習モードを、それぞれ実行している。そのため、制御部１６０は、ステップＳ３３において、第１階層のモードである視力補正モードおよび第２階層のモードであるマニュアルモードを実行したまま、第３階層のモードを自動学習モードオフに遷移して実行する。制御部１６０が第３階層のモードを遷移して実行すると、処理はステップＳ４０に遷移する。
【００５４】
一方で、ステップＳ３２において対応する第３階層のモードは存在しないと制御部１６０が判定すると、処理はステップＳ４０に遷移する。
【００５５】
また、ステップＳ３１において上記指示動作は第３の指示動作ではないと制御部１６０が判定すると、処理はステップＳ４０に遷移する。
【００５６】
その後、制御部１６０は、処理を終了させる必要があるか否かについて判定する（ステップＳ４０）。例えば、制御部１６０は、予め定められた処理を終了させる条件が満たされているときは、処理を終了させる必要があると判定する。一方、上記条件が満たされていないときは、処理を終了させる必要がないと判定する。判定の結果、処理を終了させる必要がある場合、制御部１６０は、図６における処理を終了する。一方、処理を終了させる必要がない場合、処理はステップＳ１０の前に戻る。
【００５７】
・アイウェアの動作について
本実施形態のアイウェア１００は、上述のようにユーザに選択されたモードに基づき、各機能を実行する。ユーザによって上述の第１階層のモードとして、視力補正モード、調光補正モード、および視力調光補正モードのいずれかが選択されると、制御部１６０は、視力補正機能、調光補正機能、および視力調光補正機能のうち、各モードに対応する機能を実行する。また、第２階層のモードとして、マニュアルモードが選択されると、制御部１６０は、入力部１４０がユーザから指示動作を受け付けたときのみ、視力補正機能、調光補正機能、または視力調光補正機能のオン／オフを変更する。一方、オートモードが選択されると、制御部１６０は、記憶部１９４に記憶された条件および感知部１７０で検出された検出値に基づいて、視力補正機能、調光補正機能、または視力調光補正機能のオン／オフを変更する。さらに、上述の第３階層のモードとして、自動学習モードが選択されると、制御部１６０は、オートモードにおいて視力補正機能、調光補正機能、または視力調光補正機能をオンまたはオフにするための条件を、適宜更新する。
【００５８】
以下、上記アイウェア１００の動作について説明する。図７は、本実施形態に係るアイウェア１００をユーザが使用するときの、アイウェア１００の動作例を示すフローチャートである。図７に示す動作は、例えば、電源１８０の取り付けによって入力部１４０、制御部１６０および感知部１７０がオン状態になることにより開始される。なお、以下の説明では、図７に示すフローを開始するときに、第１階層のモードとして視力補正モードを、第２階層のモードとしてマニュアルモードを、第３階層のモードとして自動学習モード（オン）を、それぞれ実行していると仮定する。またこのとき、視力補正機能はオフとなっている、と仮定する。
【００５９】
制御部１６０は、まず、第２階層のモードとして、いずれのモードが実行されているかを参照する（ステップＳ１１０）。そして、制御部１６０は、現在実行されている第２階層のモードが、マニュアルモードであるか否かを判定する（ステップＳ１１１）。
【００６０】
マニュアルモードが実行されていると制御部１６０が判定すると、入力部１４０は、タッチセンサの静電容量変化を検出し、ユーザの指示動作を受け付ける（ステップＳ１２１）。そして、入力部１４０は、指示動作を受け付けた旨の信号を制御部１６０に伝える。入力部１４０からの信号を受信した制御部１６０は、当該指示動作が、第１〜第３の指示動作とは異なる第４の指示動作（例えばスワイプせずに上記複数のタッチセンサのいずれかを所定時間指等で触る（長押し）等）であるかを判定する（ステップＳ１２２）。
【００６１】
上記指示動作が第４の指示動作であると判定すると、制御部１６０は、入力部１４０が指示動作を受け付けたときの傾斜角度および／または照度を感知部１７０から受け取る（ステップＳ１２３）。このとき、制御部１６０が受け取るデータの種類は、第１階層のモードに応じて選択される。本説明では、図７に示すフローを開始するとき、第１階層のモードとして視力補正モードが実行されていると仮定している。そこで、制御部１６０は、感知部１７０から傾斜角度に関するデータを受け取る。なお、「入力部１４０が指示動作を受け付けたとき」とは、指示動作の受け付けと略同一のタイミングであればよく、完全に一致していなくてもよい。
【００６２】
続いて、制御部１６０は、入力部１４０がステップＳ１２１において指示動作を受け付けてから所定の時間内に、再度、指示動作を受け付けたか否かを判定する（ステップＳ１２４）。所定時間内に再度、指示動作を受け付けたと制御部１６０が判定すると、先のユーザからの指示は取り消されたものとして、処理はステップＳ１２８に遷移する。
【００６３】
一方、所定時間内に再度、入力部１４０が指示動作を受け付けなかったと判定すると、制御部１６０は第１階層のモードに対応する補正機能をオンまたはオフに切り替える（ステップＳ１２５）。本説明では、第１階層のモードとして視力補正モードが実行されており、視力補正機能がオフに設定されている。そこで、制御部１６０は、第１の透明電極１５２０および第２の透明電極１５４０の間に電圧を印加し、視力補正機能をオンにする。
【００６４】
そしてさらに制御部１６０は、第３階層のモードを参照し、自動学習モードがオンであるか否かを判定する（ステップＳ１２６）。ステップＳ１２６において、アイウェア１００の自動学習モードがオフであると制御部１６０が判定すると、自動学習は不要であるとして、処理はステップＳ１２８に遷移する。
【００６５】
一方、ステップＳ１２６において、アイウェア１００の自動学習モードがオンであると判定すると、制御部１６０は、記憶部１９４に記憶された条件のうち、第１階層のモードに対応する条件を更新する（ステップＳ１２７）。本説明では、図７に示すフローを開始するときに、第１階層のモードとして視力補正モードが実行されており、視力補正機能がオフであると仮定している。そこで、制御部１６０は、入力部１４０がユーザからの指示動作を受け付けた日時、ステップＳ１２３で感知部１７０が検出した傾斜角度、およびユーザからの指示内容（例えば、視力補正機能をオンにするための指示であったこと）等を記憶部１９４に記憶させる。そして、記憶部１９４に記憶されている、視力補正機能をオンにするための閾値を、ステップＳ１２３で感知部１７０が検出した傾斜角度と置き換える。その後、処理はステップＳ１２８に遷移する。
【００６６】
そして、制御部１６０は、処理を終了させる必要があるか否かについて判定する（ステップＳ１２８）。例えば、制御部１６０は、予め定められた処理を終了させる条件が満たされているときは、処理を終了させる必要があると判定する。一方、上記条件が満たされていないときは、処理を終了させる必要がないと判定する。判定の結果、処理を終了させる必要がある場合、制御部１６０は、図７における処理を終了する。一方、処理を終了させる必要がない場合、処理はステップＳ１２１の前に戻る。
【００６７】
一方、ステップＳ１１１においてオートモードが実行されていると判定すると、制御部１６０は、アイウェア１００の傾斜角度および／または照度を感知部１７０から受け取る（ステップＳ１３１）。このとき、制御部１６０が受け取るデータの種類も、第１階層のモードに応じて選択され、本説明では、傾斜角度とされる。
【００６８】
そして、制御部１６０は、第１階層のモードに対応する補正機能（本説明では、視力補正機能）がオンになっているかを判定する（ステップＳ１３２）。補正機能がオンであると判定すると、制御部１６０は補正機能をオフにするための傾斜角度および／または照度に関する閾値（本説明では、傾斜角度に関する閾値）を、記憶部１９４から読み出す（ステップＳ１３３）。アイウェア１００の初回使用時の閾値は、予め設定された値とされる。一方、前述の自動学習モードが行われ、閾値が更新されている場合、制御部１６０は、自動学習モードで更新された後の閾値を記憶部１９４から読み出す。
【００６９】
続いて制御部１６０は、ステップＳ１３１において感知部１７０で検出された検出値が、ステップＳ１３３で読み出された閾値以下であるか否かを判定する（ステップＳ１３５）。ステップＳ１３５において、検出値が閾値以下であると判定すると、制御部１６０は補正機能をオフにする（ステップＳ１３７）。本説明では、電気制御型レンズ１５０の第１の透明電極１５２０および第２の透明電極１５４０の間への電圧の印加を取りやめる。そして、処理はステップＳ１３９に遷移する。一方、検出値が閾値より高いと制御部１６０が判定すると、補正機能をオフにする必要はないとして、処理はステップＳ１３９に遷移する。
【００７０】
一方、ステップＳ１３２において、第１階層のモードに対応する補正機能（本説明では、視力補正機能）がオフであると判定すると、制御部１６０は補正機能をオンにするための傾斜角度および／または照度に関する閾値（本説明では、傾斜角度に関する閾値）を記憶部１９４から読み出す（ステップＳ１３４）。この場合も、アイウェア１００の初回使用時の閾値は、予め設定された値とされる。一方、前述の自動学習モードが行われ、閾値が更新されている場合、制御部１６０は、自動学習モードで更新された後の閾値を記憶部１９４から読み出す。なお、補正機能をオンにするための閾値は、上記補正機能をオフにするための閾値と同一であってもよく、異なっていてもよい。例えば、視力補正機能をオンにするための閾値（初期設定値）を２０°、視力補正機能をオフにするための閾値（初期設定値）を５°等と設定することができる。
【００７１】
続いて制御部１６０は、ステップＳ１３１において感知部１７０で検出された検出値が、ステップＳ１３４で読み出された閾値以上であるか否かを判定する（ステップＳ１３６）。ステップＳ１３６において、検出値が閾値以上であると判定すると、制御部１６０は補正機能をオンにする（ステップＳ１３８）。本説明では、電気制御型レンズ１５０の第１の透明電極１５２０および第２の透明電極１５４０の間に電圧を印加する。そして、処理はステップＳ１３９に遷移する。一方、検出値が閾値より低いと制御部１６０が判定すると、補正機能をオンにする必要はないとして、処理はステップＳ１３９に遷移する。
【００７２】
その後、制御部１６０は、処理を終了させる必要があるか否かについて判定する（ステップＳ１３９）。例えば、制御部１６０は、予め定められた処理を終了させる条件が満たされているときは、処理を終了させる必要があると判定する。一方、上記条件が満たされていないときは、処理を終了させる必要がないと判定する。判定の結果、処理を終了させる必要がある場合、制御部１６０は、図７における処理を終了する。一方、処理を終了させる必要がない場合、処理はステップＳ１３１の前に戻る。
【００７３】
なお、上述の説明では、図７に示すフローを開始するときに、第１階層のモードとして視力補正モードが実行されていると仮定して説明したが、第１階層のモードとして調光補正モードが実行されている場合、上述のステップＳ１２３やステップＳ１３１において、制御部１６０は感知部１７０から照度を検出値として受け取る。また、ステップＳ１２７では、記憶部１９４に記憶された条件のうち、照度に関する条件を更新する。
【００７４】
一方、第１階層のモードとして、視力調光補正モードが実行されている場合、上述のステップＳ１２３やステップＳ１３１において、制御部１６０は感知部１７０から傾斜角度および照度の両方を検出値として受け取る。また、ステップＳ１２７では、記憶部１９４に記憶された条件のうち、傾斜角度および照度に関する条件を更新する。
【００７５】
以上のように、本実施形態のアイウェア１００のオートモードでは、マニュアルモードで収集された傾斜角度および／または照度に関する情報に基づき、視力補正機能、調光補正機能、または視力補正調光機能を自動でオンまたはオフにすることができる。したがって、本実施形態のアイウェア１００によれば、ユーザの嗜好等に合わせて、各機能を発現させる条件を設定することが可能である。
【００７６】
・・アイウェアの動作の変形例
上述の説明（図７に示すフロー）では、自動学習モードがオンである場合に入力部１４０が指示動作を受け付けると、ステップＳ１２７において、記憶部１９４に記憶された条件が常に更新される。ただし、本実施形態のアイウェア１００は、制御部１６０が、条件の更新が必要であると判定した場合にのみ、ステップＳ１２７で条件を更新してもよい。例えば、制御部１６０が、ステップＳ１２３で検出された検出値と記憶部１９４に記憶された閾値とを比較するステップ（図示せず）を行い、検出値が閾値と所定の値以上ずれている判定した場合にのみ、ステップＳ１２６に遷移し、記憶部１９４に記憶された条件を更新してもよい。
【００７７】
また、ステップＳ１２６で検出された値が、過去に感知部１７０によって検出された検出値と所定の回数同一の範囲に含まれるかを制御部１６０が判定するステップ（図示せず）を行ってもよい。この場合、ステップＳ１２６において、所定の回数、同一の範囲に含まれる値が検出された場合にはじめて、ステップＳ１２６に遷移し、制御部１６０は、記憶部１９４に記憶された条件を更新する。また、所定の回数、同一の値が検出された場合に、記憶部１９４に記憶された条件を更新してもよい。
【００７８】
さらに、入力部１４０が指示動作を受け付けたときの、感知部１６０の検出値取得回数に応じて、記憶部１９４に記憶された条件が更新されてもよい。例えば、ステップＳ１２６で検出された値と、過去に検出された所定の回数分の検出値の平均値を演算するステップ（図示せず）を行ってもよい。この場合、ステップＳ１２６では、制御部１６０は、記憶部１９４に記憶された条件を、上記平均値に基づいて更新する。
【００７９】
さらに、ステップＳ１２７が行われるタイミングは、入力部１４０が指示動作を受け付けた直後でなくてもよい。例えば、ステップＳ１２３で検出された検出値を、記憶部１９４に記憶された閾値とは別に記憶しておき、任意のタイミング（例えば、オートモードが選択されたタイミング等）で、ステップＳ１２７を行い、記憶部１９４に記憶された条件を更新してもよい。
【００８０】
また、上記では、階層が３つにわかれている例を挙げて説明したが、階層はさらに細かく分かれていてもよい。例えば、図５に示す第１階層と第２階層との間に、種々のモードが含まれていてもよい。例えば、視力補正モードの下層に、読書モードやモバイル機器使用モード等が含まれていてもよい。この場合、これらの各モードのさらに下層にそれぞれオートモードおよびマニュアルモードを含めることができる。一方、調光補正モードの下層に、アイウェア１００への光の照度に対して電気制御型レンズ１５０の透過率を図８に示すように変化させる淡色調光モード、中間色調光モード、および濃色調光モードが含まれていてもよい。図８に示す照度と透過率との関係は、初期設定値であり、透過率を変化させる条件を自動学習モードで学習させ、適宜更新してもよい。
【００８１】
なお、調光補正モードの下層に、淡色調光モード、中間色調光モード、および濃色調光モードが含まれる場合、図７のステップＳ１２１で入力部１４０が受け付ける指示動作は、調光補正機能のオンまたはオフに関する指示ではなく、電気制御型レンズ１５０の透過率を低くまたは高くする指示であってもよい。この場合、ステップＳ１２５では、制御部１６０が、調光補正機能のオンまたはオフを切り替えるのではなく、電気制御型レンズ１５０の可視光の透過量（第３の透明電極１５６０または第４の透明電極１５８０に印加する電圧の量）を変更する。
【００８２】
またこの場合、ステップＳ１２７では、ステップＳ１２１において入力部１４０が指示を受け付けた日時、入力部１４０が指示動作を受け付けたときのアイウェア１００への光の照度、およびユーザが設定した透過率を、制御部１６０が記憶部１９４に記憶させる。そして、図８に示す照度の上限値または下限値を、当該検出値に合わせて置き換える。
【００８３】
なお、このときの第４の指示動作は、スワイプ動作としてもよい。第４指示動作がスワイプ動作であると、静電容量が変化したタッチセンサの数から、入力動作の動作量（移動量）を識別し、電気制御型レンズ１５０の透過率をどの程度とするかの指示を受け付けることが可能となる。
【００８４】
また、本実施形態のアイウェア１００は、制御部１６０が、上述した以外の機能を実行可能であってもよい。例えば、制御部１６０が、感知部１７０等の一部の機能部にのみ電気を供給するスリープ機能や、略全ての機能部に電気を供給しないオフ機能等を実行可能であってもよい。また、制御部１６０がこれらの機能に遷移するまでの待機時間（変化条件）をユーザからの指示動作によって変更可能としてもよい。
【００８５】
例えば、上記スリープ機能またはオフ機能は、下位階層の機能として、入力部１４０への指示動作の入力がなされない時間（待機時間）が１分であるときに自動でスリープ機能またはオフ機能に遷移する短時間オフ機能、上記待機時間が３分であるときに自動でスリープ機能またはオフ機能に遷移する中間時間オフ機能、および待機時間が５分であるときに自動でスリープ機能またはオフ機能に遷移する長時間オフ機能等を含んでいてもよい。
【００８６】
また、上記の説明におけるユーザからの指示動作は、アイウェア１００を装着したユーザからの指示動作でなくてもよく、アイウェア１００の近傍にいる非装着者からの指示動作であってもよい。
【００８７】
さらに、上記説明では、前方から後方へのスワイプを第１の指示動作、後方から前方へのスワイプを第２の指示動作等として説明したが、入力部１４０の構成に基づいて、適宜変更可能である。さらに、第１の指示動作、第２の指示動作、第３の指示動作、および第４の指示動作は、指示動作同士を識別可能な限りにおいて、回数を変更した同一の動作（例えばタップの回数やスワイプの回数）であってもよく、異なる入力動作とその回数の組み合わせ等であってもよい。
【００８８】
［第２の実施形態］
（アイウェア）
本発明の第２の実施形態に係るアイウェアの構成は、図１および図２に示す第１の実施形態のアイウェア１００の構成と、感知部１７０以外は同様である。そこで、感知部１７０以外の構成要素に関する説明は省略し、以下、感知部１７０についてのみ説明する。
【００８９】
本実施形態における感知部１７０は、傾斜センサおよび照度センサの他に、Ｇｌｏｂａｌ  Ｐｏｓｉｔｉｏｎｉｎｇ  Ｓｙｓｔｅｍ（ＧＰＳ）などの位置検出センサ、加速度センサ、角速度センサ、ジャイロセンサ、近接センサ、接触センサ、振動センサ、方位センサ、Ｂｌｕｅｔｏｏｔｈ（「Ｂｌｕｅｔｏｏｔｈ」はＢｌｕｅｔｏｏｔｈ  ＳＩＧの登録商標）などでスマートフォンなどの所定のモバイル機器と接続可能な通信素子、自然光と蛍光灯からの光とを識別して感知するためのカメラなどの撮像素子、およびメカニカルスイッチから選ばれる一つ以上のセンサまたは素子を含む。アイウェア１００が、いずれのセンサまたは素子を含むかは、アイウェア１００の用途や使用形態に応じて適宜選択される。また、これらのセンサまたは素子は、アイウェア１００の外部に設けられていてもよく、例えば通信素子を介して制御部１６０に検出値を出力するものであってもよい。
【００９０】
感知部１７０が、傾斜センサおよび照度センサの他に、上記センサや素子が含まれることで、例えば以下のような情報を制御部１６０が取得することができる。
【表１】
0006792699.tif 000002
【００９１】
（アイウェアの制御）
・モードについて
本実施形態のアイウェア１００には、上述の視力補正機能、調光補正機能、および視力調光補正機能を行うための複数のモードが図９の模式図に示すように階層状に設定されている。当該アイウェア１００でも、ユーザが入力部１４０を通じて、各階層のモードを選択することで、制御部１６０に所望の動作を実行させることができる。
【００９２】
本実施形態のアイウェア１００では、図９に示すように、複数のモードが３階層にわけて設定されている。本実施形態のアイウェア１００の第１階層には、視力補正機能を実行するための視力補正モード、調光補正機能を実行するための調光補正モード、ならびに視力調光補正機能を実行するための視力調光補正モード、が含まれる。
【００９３】
また、視力補正モード、調光補正モード、および視力調光補正モードの下層（第２階層）には、マニュアルモード、オートモード、ならびに記憶部１９４に記憶された条件および感知部１７０で検出された各種検出値（傾斜角度および／または照度、ならびにこれら以外の検出値）に基づき、制御部１６０が視力補正機能、調光補正機能、または視力調光補正機能をオンまたはオフにする第３モード（以下、「インテリジェントモード」とも称する）が含まれる。
【００９４】
さらに、各マニュアルモードの下層（第３階層）には、上記オートモードにおいて、視力補正機能、調光補正機能、または視力調光補正機能をオンまたはオフにするタイミングを学習するための自動学習モードが含まれる。
【００９５】
なお、ユーザが各階層のモードを選択するときのアイウェア１００の動作は、第１の実施形態と同様（図６に示すフロー）であるため、説明を省略する。
【００９６】
・アイウェアの動作について
以下、ユーザに選択されたモードに基づき、アイウェア１００が各種機能を実行するときのアイウェア１００の動作について説明する。上述の第１階層のモードとして、視力補正モード、調光補正モード、および視力調光補正モードのいずれかが選択されると、制御部１６０は、視力補正機能、調光補正機能、および視力調光補正機能のうち、各モードに対応する機能を実行する。また、第２階層のモードとして、マニュアルモードが選択されると、制御部１６０は、入力部１４０がユーザから指示動作を受け付けたときのみ、視力補正機能、調光補正機能、または視力調光補正機能のオン／オフを変更する。一方、オートモードが選択されると、制御部１６０は、記憶部１９４に記憶された条件および感知部１７０で検出された検出値に基づいて、視力補正機能、調光補正機能、または視力調光補正機能のオン／オフを変更する。また、インテリジェントモードが選択されると、制御部１６０は、記憶部１９４に記憶された条件および感知部１７０で検出された検出値（傾斜角度および／または照度、ならびに上記センサや素子による検出値）に基づいて、視力補正機能、調光補正機能、または視力調光補正機能のオン／オフを変更する。さらに、上述の第３階層において、自動学習モードが選択されると、制御部１６０は、オートモードにおいて視力補正機能、調光補正機能、または視力調光補正機能をオンまたはオフにする条件を、適宜更新する。
【００９７】
以下、感知部１７０が、傾斜センサ、照度センサ、および加速度センサを備えるアイウェア１００の動作について説明する。図１０は、本実施形態に係るアイウェア１００をユーザが使用するときの、アイウェア１００の動作例を示すフローチャートであり、図１１は、図１０におけるフローの一部（インテリジェントモード）を示すフローチャートである。また、図１０に示す動作は、例えば、電源１８０の取り付けによって入力部１４０、制御部１６０および感知部１７０がオン状態になることにより開始される。
【００９８】
また、以下の説明では、図１０に示すフローを開始するときに、上述の第１階層のモードとして視力補正モードを、第２階層のモードとしてマニュアルモードを、第３階層のモードとして、自動学習モード（オン）をそれぞれ実行している、と仮定する。またこのとき、視力補正機能はオフである、と仮定する。
【００９９】
まず、制御部１６０は、第２階層のモードとして、いずれのモードが実行されているかを参照する（ステップＳ２１０）。そして、制御部１６０は、現在実行されている第２階層のモードが、マニュアルモードであるか否かを判定する（ステップＳ２１１）。
【０１００】
制御部１６０がステップＳ２１１においてマニュアルモードが実行されていると判定すると、入力部１４０は、タッチセンサの静電容量変化を検出し、ユーザの指示動作を受け付ける（ステップＳ２２１）。そして、入力部１４０は、指示動作を受け付けた旨の信号を制御部１６０に伝える。入力部１４０からの信号を受信した制御部１６０は、当該指示動作が、第１〜第３の指示動作とは異なる第４の指示動作（例えばスワイプせずに上記複数のタッチセンサのいずれかを所定時間指等で触る（長押し）等）であるかを判定する（ステップＳ２２２）。
【０１０１】
上記指示動作が第４の指示動作であると判定すると、制御部１６０は入力部１４０が指示動作を受け付けたときのアイウェア１００の傾斜角度および／または照度、ならびに加速度を感知部１７０から受け取る（ステップＳ２２３）。このとき、制御部１６０が受け取るデータの種類は、第１階層のモードに応じて選択される。本説明では、図１０に示すフローを開始するときに、上述の第１階層のモードとして、視力補正モードが実行されていると仮定している。そこで、制御部１６０は、感知部１７０が検出した傾斜角および加速度に関するデータを受け取る。
【０１０２】
続いて、制御部１６０は、入力部１４０がステップＳ２２１において指示動作を受け付けてから所定の時間内に、再度、指示動作を受け付けたか否かを判定する（ステップＳ２２４）。所定時間内に再度、指示動作を受け付けたと制御部１６０が判定すると、先のユーザからの指示は取り消されたものとして、処理はステップＳ２２８に遷移する。
【０１０３】
一方、所定時間内に再度、入力部１４０が指示動作を受け付けなかったと判定すると、制御部１６０は、第１階層のモードに対応する補正機能（本説明では、視力補正機能）をオンまたはオフに切り替える（ステップＳ２２５）。
【０１０４】
その後、制御部１６０は、第３階層のモードを参照し、自動学習モードがオンであるか否かを判定する（ステップＳ２２６）。ステップＳ２２６において、アイウェア１００の自動学習モードがオフであると制御部１６０が判定すると、自動学習は不要であるとして、処理はステップＳ２２８に遷移する。
【０１０５】
一方、ステップ２２６において、アイウェア１００の自動学習モードがオンであると判定すると、制御部１６０は、記憶部１９４に記憶された条件のうち、第１階層のモードに対応する条件を更新する（ステップＳ２２７）。本説明では、図１０に示すフローを開始するときに、第１階層のモードとして視力補正モードが実行されており、視力補正機能がオフであると仮定している。そこで、制御部１６０は、入力部１４０がユーザからの指示動作を受け付けた日時、ステップＳ２２３で感知部１７０が検出した傾斜角度等および加速度、ならびにユーザからの指示内容（例えば、視力補正機能をオンにするための指示であったこと等）を記憶部１９４に記憶させる。そして、記憶部１９４に記憶されていた、視力補正機能をオンにするための閾値（傾斜角度および加速度）をそれぞれ、ステップＳ２２３で感知部１７０が検出した傾斜角度および加速度と置き換える。その後、処理はステップＳ２２８に遷移する。
【０１０６】
そして、制御部１６０は、処理を終了させる必要があるか否かについて判定する（ステップＳ２２８）。例えば、制御部１６０は、予め定められた処理を終了させる条件が満たされているときは、処理を終了させる必要があると判定する。一方、上記条件が満たされていないときは、処理を終了させる必要がないと判定する。判定の結果、処理を終了させる必要がある場合、制御部１６０は、図１０における処理を終了する。一方、処理を終了させる必要がない場合、処理はステップＳ２２１の前に戻る。
【０１０７】
一方、ステップＳ２１１においてマニュアルモード以外が実行されていると判定すると、制御部１６０は、オートモードが選択されているか否かを判定する（ステップＳ２１２）。そして、ステップＳ２１２において、オートモードが選択されていると判定すると、制御部１６０は、アイウェア１００の傾斜角度および／または照度を感知部１７０から受け取る（ステップＳ２３１）。このとき、制御部１６０が受け取るデータの種類は、第１階層のモードに応じて選択され、本説明では、傾斜角度とされる。
【０１０８】
制御部１６０は、第１階層のモードに対応する補正機能（本説明では、視力調整機能）がオンになっているかを判定する（ステップＳ２３２）。ステップＳ２３２において、補正機能がオンであると判定すると、制御部１６０は補正機能をオフにするための傾斜角度および／または照度に関する閾値（本説明では、傾斜角度に関する閾値）を、記憶部１９４から読み出す（ステップＳ２３３）。アイウェア１００の初回使用時の閾値は、予め設定された値とされる。一方、前述の自動学習モードが行われ、閾値が更新されている場合、制御部１６０は、自動学習モードで更新された後の閾値を記憶部１９４から読み出す。
【０１０９】
続いて、制御部１６０は、ステップＳ２３１において感知部１７０で検出された検出値が、ステップＳ２３３で読み出された閾値以下であるか否かを判定する（ステップＳ２３５）。ステップＳ２３５において、検出値が閾値以下であると判定すると、制御部１６０は、補正機能をオフにし（ステップＳ２３７）、処理はステップＳ２３９に遷移する。一方、検出値が閾値より高いと制御部１６０が判定すると、補正機能をオフにする必要はないとして、処理はステップＳ２３９に遷移する。
【０１１０】
一方、ステップＳ２３２において、補正機能がオフであると判定すると、制御部１６０は補正機能をオンにするための傾斜角度および／または照度に関する閾値（本説明では、傾斜角度に関する閾値）を、記憶部１９４から読み出す（ステップＳ２３４）。この場合も、アイウェア１００の初回使用時の閾値は、予め設定された値とされる。一方、前述の自動学習モードが行われ、閾値が更新されている場合、制御部１６０は、自動学習モードで更新された後の閾値を記憶部１９４から読み出す。なお、補正機能をオンにするための閾値は、上記補正機能をオフにするための閾値と同一であってもよく、異なっていてもよい。
【０１１１】
続いて、制御部１６０は、ステップＳ２３１において、感知部１７０で検出された検出値が、ステップＳ２３４で読み出された閾値以上であるか否かを判定する（ステップＳ２３６）。ステップＳ２３６において、検出値が閾値以上であると判定すると、制御部１６０は視力補正機能をオンにし（ステップＳ２３８）、処理はステップＳ２３９に遷移する。一方、検出値が閾値より低いと制御部１６０が判定すると、補正機能をオンにする必要はないとして、処理はステップＳ２３９に遷移する。
【０１１２】
その後、制御部１６０は、処理を終了させる必要があるか否かについて判定する（ステップＳ２３９）。例えば、制御部１６０は、予め定められた処理を終了させる条件が満たされているときは、処理を終了させる必要があると判定する。一方、上記条件が満たされていないときは、処理を終了させる必要がないと判定する。判定の結果、処理を終了させる必要がある場合、制御部１６０は、図１０における処理を終了する。一方、処理を終了させる必要がない場合、処理はステップＳ２３１の前に戻る。
【０１１３】
また、ステップＳ２１２において、オートモード以外が選択されたと制御部１６０が判定すると、処理はインテリジェントモード（ステップＳ２４０）に遷移する。
【０１１４】
図１１に示すように、ステップ２１２において、オートモード以外が選択されたと判定すると、制御部１６０は、アイウェア１００の傾斜角度および／または照度、ならびに加速度を感知部１７０から受け取る（ステップＳ２４１）。このとき、制御部１６０が受け取るデータの種類も、第１階層のモードに応じて選択され、本説明では、傾斜角度および加速度とされる。
【０１１５】
そして、制御部１６０は、アイウェア１００の補正機能（本説明では、視力補正機能）がオンになっているかを判定する（ステップＳ２４２）。ステップＳ２４２において、補正機能がオンであると判定すると、制御部１６０は補正機能をオフにするための加速度に関する閾値を、記憶部１９４から読み出す（ステップＳ２４３）。アイウェア１００の初回使用時の閾値は、予め設定された値とされる。一方、前述の自動学習モードが行われ、閾値が更新されている場合、制御部１６０は、自動学習モードで更新された後の閾値を記憶部１９４から読み出す。
【０１１６】
そして、ステップＳ２４１で検出された検出値のうち、加速度が、ステップＳ２４３で読み出された閾値以上であるか否かを制御部１６０が判定する（ステップＳ２４５）。ステップＳ２４５において、検出値が閾値以上であると制御部１６０が判定すると、ユーザが移動中であるとして、制御部１６０は視力補正機能をオフにし（ステップＳ２４８）、処理はステップＳ２５５に遷移する。一方、検出値が閾値より低いと判定すると、制御部１６０は、補正機能をオフにするための傾斜角度および／または照度に関する閾値を記憶部１９４から読み出す（ステップＳ２４７）。そして、ステップＳ２４１で検出された検出値（本説明では、傾斜角度）が、ステップＳ２４７で読み出された閾値以下であるか否かを制御部１６０が判定する（ステップＳ２５１）。ステップＳ２５１において、検出値が閾値以下であると判定すると、制御部１６０は補正機能をオフにし（ステップＳ２５３）、処理はステップＳ２５５に遷移する。一方、検出値が閾値より高いと制御部１６０が判定すると、視力補正機能をオフにする必要はないとして、処理はステップＳ２５５に遷移する。
【０１１７】
一方、ステップＳ２４２において、補正機能がオフであると判定すると、制御部１６０は補正機能をオンにするための加速度に関する閾値を、記憶部１９４から読み出す（ステップＳ２４４）。そして、制御部１６０は、ステップＳ２４１で検出された検出値（加速度）が、ステップＳ２４４で読み出された閾値以下であるか否かを判定する（ステップＳ２４６）。ステップＳ２４６において、検出値が閾値より高いと制御部１６０が判定すると、ユーザが移動中であり、視力補正機能をオンにする必要がないとして、処理はステップＳ２５５に遷移する。一方、検出値が閾値以下であると判定すると、制御部１６０は、補正機能をオンにするための傾斜角度に関する閾値を記憶部１９４から読み出す（ステップＳ２５０）。そして、ステップＳ２４１で検出された検出値（本説明では傾斜角度）が、ステップＳ２５０で読み出された閾値以上であるか否かを判定する（ステップＳ２５２）。ステップＳ２５２において、検出値が閾値以上であると判定すると、制御部１６０は、視力補正機能をオンにし（ステップＳ２５４）、処理はステップＳ２５５に遷移する。一方、検出値が閾値より低いと制御部１６０が判定すると、視力補正機能をオンにする必要はないとして、処理はステップＳ２５５に遷移する。
【０１１８】
その後、制御部１６０は、処理を終了させる必要があるか否かについて判定する（ステップＳ２５５）。例えば、制御部１６０は、予め定められた処理を終了させる条件が満たされているときは、処理を終了させる必要があると判定する。一方、上記条件が満たされていないときは、処理を終了させる必要がないと判定する。判定の結果、処理を終了させる必要がある場合、制御部１６０は、図１０における処理を終了する。一方、処理を終了させる必要がない場合、処理はステップＳ２４１の前に戻る。
【０１１９】
なお、上記では、第１階層のモードとして視力補正モードが実行されている場合のみを説明したが、第１階層のモードとして調光補正モードが実行されている場合や、視力調光補正モードが実行されている場合にも、上記と同様の制御を行うことができる。また上記では、ステップＳ２２７で常に記憶部１９４に記憶された条件を更新しているが、第１の実施形態と同様に、制御部１６０が、条件の更新が必要であると判定した場合にのみ、ステップＳ２２７で条件を更新してもよい。
【０１２０】
また、第１の実施形態と同様に、各モードの階層はさらに細かく分かれていてもよく、視力補正モードの下層に読書モードやモバイル機器使用モードが含まれていてもよく、調光補正モードの下層に、淡色調光モード、中間色調光モード、および濃色調光モード等が含まれていてもよい。
【０１２１】
上記では、感知部１７０が加速度センサを備えるアイウェア１００について説明したが、感知部１７０が他のセンサや素子を備える場合にも、同様に制御を行うことができる。例えば、感知部１７０が位置検出センサや撮像素子等を備える場合には、インテリジェントモードのステップＳ２４５やステップＳ２４６において、屋外であるか屋内であるかを判定し、調光補正機能をオンまたはオフにしたり、電気制御型レンズ１５０の透過率を調整したりすること等ができる。また、感知部１７０が近接センサや通信素子を備える場合には、インテリジェントモードのステップＳ２４５やステップＳ２４６において、アイウェア１００から視認対象物（例えばモバイルフォン等の通信機器）までの距離を判定し、視力補正機能や調光補正機能をオンまたはオフにしたり、電気制御型レンズ１５０の透過率を調整したりすることができる。
【０１２２】
また、感知部１７０が加速度センサや角速度センサ、ジャイロセンサを備える場合には、インテリジェントモードのステップＳ２４５やステップＳ２４６において、制御部１６０がユーザの状態（例えば、姿勢や眠気等）を判定し、視力補正機能や調光補正機能をオンまたはオフにしたり、電気制御型レンズ１５０の透過率を調整したりすることができる。
【０１２３】
以上のように、本実施形態のアイウェア１００のオートモードでは、マニュアルモードで収集された傾斜角度および／または照度に関する情報に基づき、視力補正機能、調光補正機能、または視力補正調光機能を自動でオンまたはオフにすることができる。一方、インテリジェントモードでは、マニュアルモードで収集された傾斜角度や照度だけでなく、感知部１７０が含む各種センサや素子で検出される情報（アイウェアの外的環境、またはユーザの状態）に基づいて、視力補正機能、調光補正機能、または視力補正調光機能を自動でオンまたはオフにすることが可能である。つまり、本実施形態のアイウェア１００によれば、ユーザの嗜好や、環境、ユーザの状態等に合わせて、より細かく各機能を発現させる条件を設定することが可能である。
【０１２４】
［その他の実施形態］
なお、上述の実施形態はそれぞれ本発明の一例を示すものであり、本発明は上述の実施形態に限定されるものではなく、本発明の思想の範囲内において、他の種々多様な実施形態も可能であることは言うまでもない。
【０１２５】
例えば、上記第１の実施形態および第２の実施形態では、アイウェア１００が、視力補正機能および調光補正機能の両方を実行可能な形態を説明した。ただし、アイウェアは、これらのうちいずれか一方のみを実行可能であってもよい。
【０１２６】
例えば、視力補正機能を実行可能なアイウェアとする場合、上述の電気制御型レンズは、後方（使用者側）から、第１の透明基板、第１の透明電極、屈折率可変層、第２の透明電極、および第２の透明基板が配置された第１の領域と、後方（使用者側）から、第１の透明基板、第１の透明電極、接着層、第２の透明電極、および第２の透明基板が配置された第２の領域と、を備えていればよい。
【０１２７】
また、調光補正機能を実行可能なアイウェアとする場合、上述の電気制御型レンズは、第一の透明基板、第１の透明電極、透過率可変層、第２の透明電極、および第２の透明基板を備えていればよい。
【０１２８】
また、上述の第１の実施形態または第２の実施形態に係るアイウェア１００は、複数の指示動作を受け付け可能な単一の入力部１４０を有していたが、入力部は、フレームの複数個所に配置されてもよい。このとき、制御部は、上記複数個所に配置された複数の入力部が受け付ける同一の指示動作によって、いずれも同一の階層の機能を実行してもよいし、受け付ける指示動作によって、入力部ごとに異なる階層の機能を実行してもよい。
【０１２９】
また、上述のフレームは、ユーザの鼻に接触してアイウェアを位置固定する一対の鼻パッド、テンプルを回転可能にフロントのリムに接続するヒンジ部、リムの両端に配置されて電気制御型レンズをリムにねじ止めするリムロック部およびヨロイ部、テンプルを耳に掛ける形状を有するモダン部などを有していてもよい。入力部、制御部および感知部などは、これらの部材のうちいずれに配置されてもよい。
【０１３０】
また、図１２に、本発明のアイウェアの例示的な機能構成を表すブロック図を示す。図１２に示すように、アイウェアは、上述の実施形態で説明した各構成の他に、他のデバイスと通信可能な通信部１９２、ディスプレイなどの表示装置またはＬＥＤランプなどの機能の変更などを通知する外部の通知装置と有線または無線で接続可能な出力部１９６などを有していてもよい。アイウェアが備える各機能部は、バスＢにより接続される。
【０１３１】
なお、上記説明では、電気制御により光学特性が変化する光学モジュールの例として電気制御型レンズを挙げて説明していたが、上記光学モジュールは、投射部１９８により画像および映像などを投射可能な透明板などであってもよい。このとき、制御部１６０は、投射される画像または映像などの種類に関する機能およびそのパターンに関する機能などを第１の指示動作および第２の指示動作で実行してもよい。
【０１３２】
２０１７年３月１３日出願の特願２０１７−０４７４０７号の日本出願に含まれる明細書、図面および要約書の開示内容は、すべて本願に援用される。
【産業上の利用可能性】
【０１３３】
本発明のアイウェアは、ユーザ固有の情報やユーザの嗜好に合わせて自動で機能を発現させる条件を変更することが可能である。そのため、本発明のアイウェアは、当分野におけるアイウェアの普及および進歩に貢献することが期待される。
【符号の説明】
【０１３４】
１００  アイウェア
１１０  フロント
１１２  リム
１１４  ブリッジ
１２０ａ、１２０ｂ  テンプル
１３０  フレーム
１４０  入力部
１５０  電気制御型レンズ
１５０ａ  第１の領域
１５０ｂ  第２の領域
１６０  制御部
１６５  ＣＰＵユニット
１７０  感知部
１８０  電源
１９２  通信部
１９４  記憶部
１９６  出力部
１９８  投射部
１５１０  第１の透明基板
１５２０  第１の透明電極
１５３０  屈折率可変層
１５３５  接着層
１５４０  第２の透明電極
１５５０  第２の透明基板
１５６０  第３の透明電極
１５７０  透過率可変層
１５８０  第４の透明電極
１５９０  第３の透明基板
【図１】
0006792699.tif 000003
【図２】
0006792699.tif 000004
【図３】
0006792699.tif 000005
【図４】
0006792699.tif 000006
【図５】
0006792699.tif 000007
【図６】
0006792699.tif 000008
【図７】
0006792699.tif 000009
【図８】
0006792699.tif 000010
【図９】
0006792699.tif 000011
【図１０】
0006792699.tif 000012
【図１１】
0006792699.tif 000013
【図１２】
0006792699.tif 000014